(57)【要約】【課題】計器画像以外の画像を表示する操作が分かり易い車両用表示装置を提供する。【解決手段】グラフィックメータ１００の画面には、メータ１８５、温度計１８７、燃料計１８８、及び４つのアイコン２０１〜２０４が表示される。４つのアイコン２０１〜２０４は、それぞれ車両アイコン２０１、地図アイコン２０２、音楽アイコン２０３、電話アイコン２０４である。ステアリングスイッチ１４０の矢印ボタン１４２が押下されると、ＣＰＵ１１０は、車両アイコン２０１を拡大し（Ｓ１４）、メータ１８５を画面の右側に移動させる（Ｓ１５）。メータ１８５が右側に移動したことで、画面の左側に拡がった空き領域に、車両アイコン２０１に対応する車両情報２３０が表示される。解除ボタン１４５が押下された場合、ＣＰＵ１１０は、画面の左側に表示された車両情報２３０を消去し（Ｓ１８）、メータ１８５を画面の中央に戻す（Ｓ１９）。【選択図】図１０
2015066982.tif 000002
【特許請求の範囲】
【請求項１】
各種情報が画面に表示される表示部を備え、
前記表示部には、計器を模した計器画像、及び選択可能な複数のアイコンが表示され、
前記複数のアイコンのいずれかが選択された場合、前記表示部では、前記計器画像が前記画面上に表示される位置が変わり、前記計器画像の位置が変わることによって生じた空き領域に、選択されたアイコンに対応する画像が表示され、前記計器画像、選択されたアイコンに対応する画像、及び前記複数のアイコンが継続して表示される、
ことを特徴とする車両用表示装置。
【請求項２】
前記表示部では、前記複数のアイコンのうち、選択されたアイコンと選択されていないアイコンとが識別可能に表示される、
ことを特徴とする請求項１に記載の車両用表示装置。
【請求項３】
前記アイコンの選択が解除された場合、選択が解除されたアイコンに対応する画像が前記画面から消去され、前記計器画像が前記画面上に表示される位置が選択される前の位置に戻る、
ことを特徴とする請求項１または２に記載の車両用表示装置。
【請求項４】
前記複数のアイコンは、第１のアイコン及び第２のアイコンを含み、
前記表示部では、前記第１のアイコンが選択された後に、前記第２のアイコンが選択された場合、前記第１のアイコンに対応する第１の画像が前記画面から消去され、前記第２のアイコンに対応する第２の画像が前記第１の画像が表示されていた位置に表示される、
ことを特徴とする請求項１から３のいずれか１項に記載の車両用表示装置。
【請求項５】
前記アイコンの選択が解除され、前記計器画像の位置が前記アイコンが選択される前の位置に戻った場合、前記選択が解除されたアイコンの表示状態は、解除される直前の状態に維持される、
ことを特徴とする請求項３に記載の車両用表示装置。
【発明の詳細な説明】
【技術分野】
【０００１】
本発明は、計器画像を表示する車両用表示装置に関する。
【背景技術】
【０００２】
近年、車両用表示装置であるグラフィックメータの中には、メータとして基本となる計器画像を表示する他、地図、燃費、楽曲操作、通話先等の情報を表示するものがある。
【０００３】
この種の先行技術として、特許文献１には、ステアリングホイールに設けられたステアリングスイッチを操作して、ディスプレイに表示されるアイコンを選択し、アイコン選択後、メニューを表示することが示されている。
【０００４】
特許文献２には、オープニングアニメーションを表示することが示されている。
【先行技術文献】
【特許文献】
【０００５】
【特許文献１】特開２０１２−２２３９３号公報
【特許文献２】特開２０１３−１０８８４１号公報
【発明の概要】
【発明が解決しようとする課題】
【０００６】
しかしながら、従来の車両用表示装置では、メータ以外の画像を表示する場合、操作が直感的でなく分かり難かった。
【０００７】
本発明は、上述した事情に鑑みてなされたものであり、その目的は、計器画像以外の画像を表示する操作が分かり易くなる車両用表示装置を提供することにある。
【課題を解決するための手段】
【０００８】
前述した目的を達成するために、本発明に係る車両用表示装置は、下記（１）〜（５）を特徴としている。
（１）  各種情報が画面に表示される表示部を備え、
前記表示部には、計器を模した計器画像、及び選択可能な複数のアイコンが表示され、
前記複数のアイコンのいずれかが選択された場合、前記表示部では、前記計器画像が前記画面上に表示される位置が変わり、前記計器画像の位置が変わることによって生じた空き領域に、選択されたアイコンに対応する画像が表示され、前記計器画像、選択されたアイコンに対応する画像、及び前記複数のアイコンが継続して表示される、
こと。
（２）  上記（１）の構成の車両用表示装置であって、
前記表示部では、前記複数のアイコンのうち、選択されたアイコンと選択されていないアイコンとが識別可能に表示される、
こと。
（３）  上記（１）または（２）の構成の車両用表示装置であって、
前記アイコンの選択が解除された場合、選択が解除されたアイコンに対応する画像が前記画面から消去され、前記計器画像が前記画面上に表示される位置が選択される前の位置に戻る、
こと。
（４）  上記（１）から（３）のいずれかの構成の車両用表示装置であって、
前記複数のアイコンは、第１のアイコン及び第２のアイコンを含み、
前記表示部では、前記第１のアイコンが選択された後に、前記第２のアイコンが選択された場合、前記第１のアイコンに対応する第１の画像が前記画面から消去され、前記第２のアイコンに対応する第２の画像が前記第１の画像が表示されていた位置に表示される、
こと。
（５）  上記（３）の構成の車両用表示装置であって、
前記アイコンの選択が解除され、前記計器画像の位置が前記アイコンが選択される前の位置に戻った場合、前記選択が解除されたアイコンの表示状態は、解除される直前の状態に維持される、
こと。
【０００９】
上記（１）から（５）の構成の車両用表示装置によれば、計器画像が表示される表示部の画面内に、選択可能な複数のアイコンを表示するので、計器画像以外の画像を表示する操作が分かり易くなる。
【発明の効果】
【００１０】
本発明によれば、計器画像が表示される表示部の画面内に、選択可能な複数のアイコンを表示するので、計器画像以外の画像を表示する操作が分かり易くなる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、実施の形態における車両用表示装置であるグラフィックメータ１００のハードウェアの構成を示すブロック図である。
【図２】図２（Ａ）及び図２（Ｂ）は、ハンドル１６０に配置されたステアリングスイッチ１４０の外観を示す図である。
【図３】図３は、グラフィックメータ１００の起動時の表示動作手順を示すフローチャートである。
【図４】図４（Ａ）から図４（Ｃ）は、グラフィックメータ１００におけるオープニング画面の遷移を示す図である。
【図５】図５（Ｄ）から図５（Ｆ）は、図４（Ｃ）につづくグラフィックメータ１００におけるオープニング画面の遷移を示す図である。
【図６】図６は、グラフィックメータ１００におけるアイコン選択動作手順を示すフローチャートである。
【図７】図７は、図６につづくグラフィックメータ１００におけるアイコン選択動作手順を示すフローチャートである。
【図８】図８は、図６及び図７につづくグラフィックメータ１００におけるアイコン選択動作手順を示すフローチャートである。
【図９】図９は、図６、図７及び図８につづくグラフィックメータ１００におけるアイコン選択動作手順を示すフローチャートである。
【図１０】図１０（Ａ）から図１０（Ｃ）は、４つのアイコン２０１〜２０４のいずれか１つが選択及び解除された場合におけるグラフィックメータ１００の画面の遷移を示す図である。
【図１１】図１１（Ｄ）から図１１（Ｆ）は、図１０（Ｃ）につづく４つのアイコン２０１〜２０４のいずれか１つが選択及び解除された場合におけるグラフィックメータ１００の画面の遷移を示す図である。
【図１２】図１２（Ｇ）から図１２（Ｉ）は、図１１（Ｆ）につづく４つのアイコン２０１〜２０４のいずれか１つが選択及び解除された場合におけるグラフィックメータ１００の画面の遷移を示す図である。
【発明を実施するための形態】
【００１３】
本発明の実施の形態における車両表示用装置について図面を用いて説明する。本実施形態の車両用表示装置は、車室内のインストルメントパネルに設置されたグラフィックメータに適用される。
【００１４】
図１は実施の形態における車両用表示装置であるグラフィックメータ１００のハードウェアの構成を示すブロック図である。グラフィックメータ１００は、ＣＰＵ１１０、グラフィックＣＰＵ１３０、液晶表示器１５０及びメモリ（ＥＥＰＲＯＭ）１１７を有する。
【００１５】
ＣＰＵ１１０は、ＲＯＭ１１２、ＲＡＭ１１３及びネットワーク部（ＣＡＮ）１１５を内蔵する。ＲＯＭ１１２には、後述する制御プログラムが格納される。ＲＡＭ１１３はワークエリアとして使用される。
【００１６】
ネットワーク部１１５は、ＣＡＮ（Controller Area Network）規格に則って、通信Ｉ／Ｆ１２４を介して他の機器と通信を行い、速度、エンジン回転数、燃料量、シフト位置等の情報を入力する。また、ネットワーク部１１５は、他の機器として通信Ｉ／Ｆ１２４に接続されたステアリングスイッチ１４０の情報を入力する。
【００１７】
ＣＰＵ１１０には、入力インタフェース（Ｉ／Ｆ）１２２を介してイグニッションスイッチ（ＩＧＮ＋）の信号が入力される。また、ＣＰＵ１１０には、バッテリ（＋Ｂ）から電力が供給され、電源電圧Ｖｃｃ及びリセット電圧を出力する電源回路１２１が接続される。また、ＣＰＵ１１０には、走行距離と積算走行距離の表示を切り替えるＯＤＯ／ＴＲＩＰ切替スイッチ１２６が接続される。
【００１８】
グラフィックＣＰＵ１３０は、ＣＰＵ１１０から入力される命令に従って、グラフィック要素を液晶表示器１５０の画面上に表示する。グラフィックＣＰＵ１３０には、３Ｄグラフィック描画ソフトウェアが格納されたＲＯＭ１３２、及び、画素毎の表示内容を保持するフレームメモリであるＲＡＭ１３３が接続される。
【００１９】
実際には、ＣＰＵ１１０がＲＡＭ１３３に表示データを書き込み、グラフィックＣＰＵ１３０は、ＲＡＭ１３３に書き込まれた表示データを基に、３Ｄグラフィック描画ソフトウェアを実行し、後述するオープニング画面やアイコン選択画面等を生成し、生成された画像データを液晶表示器１５０に与えてグラフィックの描画を行う。また、グラフィックＣＰＵ１３０は、液晶表示器１５０の画面を２次元走査するための垂直同期信号及び水平同期信号を生成する。画像データは、これらの同期信号に同期したタイミングで液晶表示器１５０に与えられる。
【００２０】
液晶表示器１５０（表示部）は、液晶デバイスにより構成された多数の微小表示セルをＸ方向及びＹ方向に並べて配置されたカラーの２次元表示画面（グラフィック表示画面）を有する。液晶表示器１５０は、多数の微小表示セルの表示状態をセル毎に個別に制御することにより、２次元表示画面上に図形、文字、画像等の各種情報をグラフィカルに表示する。
【００２１】
図２（Ａ）及び図２（Ｂ）はハンドル１６０に配置されたステアリングスイッチ１４０の外観を示す図である。図２（Ａ）に示すように、ハンドル１６０は、グラフィックメータ１００が設置されたインストルメントパネル５０と向かい合うように取り付けられている。ステアリングスイッチ１４０は、ハンドル１６０のステアリングホイールとコラムを連結するリブ部の右側に配置されている。
【００２２】
ステアリングスイッチ１４０は、図２（Ｂ）に示すように、アイコンを順番に選択する矢印ボタン１４２及びアイコン２０１〜２０４（図１０（Ａ）参照）の選択を解除する解除ボタン１４５を有する。解除ボタン１４５によりアイコンの選択が解除されると、このアイコンに対応するコンテンツ（画像）がグラフィックメータ１００の画面上から消去される。
【００２３】
上記構成を有するグラフィックメータ１００の動作を示す。図３はグラフィックメータ１００の起動時の表示動作手順を示すフローチャートである。この動作プログラムは、ＲＯＭ１３２に格納されており、グラフィックＣＰＵ１３０によって実行される。なお、ＣＰＵ１１０及びグラフィックＣＰＵ１３０には、イグニッションスイッチがオフであっても、電源回路１２１から省電力モードで電力が供給されている。また、図４（Ａ）から図４（Ｃ）及び図５（Ｄ）から図５（Ｆ）はグラフィックメータ１００におけるオープニング画面の遷移を示す図である。
【００２４】
グラフィックＣＰＵ１３０は、イグニッションスイッチがオンになるまで待つ（ステップＳ１）。イグニッションスイッチがオンになると、グラフィックＣＰＵ１３０は、図４（Ａ）に示すように、オープニング画面として、グラフィックメータ１００の液晶表示器１５０の画面に球体１８１を登場させる。さらに、グラフィックＣＰＵ１３０は、図４（Ｂ）、（Ｃ）、図５（Ｄ）に示すように、球体１８１の形状を徐々に変化させ、球体１８１を非メータ形状である立体的なリング（環状体）１８２に変形させる（ステップＳ２）。
【００２５】
グラフィックＣＰＵ１３０は、図５（Ｅ）に示すように、立体的なリング１８２の外形を円形のメータ１８５の外形に徐々に変化させる（ステップＳ３）。さらに、グラフィックＣＰＵ１３０は、図５（Ｆ）に示すように、メータ１８５の要素を描画する（ステップＳ４）。ここでは、メータ１８５として、リング内側の目盛り、シフト位置等が描画されるとともに、円弧状の温度計１８７や燃料計１８８が描画される。
【００２６】
グラフィックＣＰＵ１３０は、速度等の指針を表す画像を加えるとともに、メータ１８５の下側に４つのアイコン２０１〜２０４を配置し、オープニング画面を完成させる（ステップＳ５）。この後、グラフィックＣＰＵ１３０は本動作を終了する。
【００２７】
図５（Ｆ）に示すように、オープニング画面が完了すると、グラフィックメータ１００の画面には、通常時の画面（デフォルト画面）として、その中央に配置されたメータ１８５、メータ１８５の右側、左側にそれぞれ配置された温度計１８７、燃料計１８８、及びメータ１８５の下方に配置された４つのアイコン２０１〜２０４が表示される。
【００２８】
４つのアイコン２０１〜２０４は、それぞれ車両アイコン２０１、地図アイコン２０２、音楽アイコン２０３、電話アイコン２０４である。なお、グラフィックメータ１００の画面に表示される、メータ１８５、温度計１８７、燃料計１８８及び４つのアイコン２０１〜２０４をメータ画像１９０と総称する（図１０（Ａ）参照）。
【００２９】
つぎに、グラフィックメータ１００におけるアイコン選択動作を示す。図６、図７、図８及び図９はグラフィックメータ１００におけるアイコン選択動作手順を示すフローチャートである。この動作プログラムは、ＲＯＭ１１２に格納されており、ＣＰＵ１１０によって実行される。図１０（Ａ）から図１０（Ｃ）、図１１（Ｄ）から図１１（Ｆ）、図１２（Ｇ）から図１２（Ｉ）は４つのアイコン２０１〜２０４のいずれか１つが選択及び解除された場合におけるグラフィックメータ１００の画面の遷移を示す図である。
【００３０】
通常時、ＣＰＵ１１０は、図１０（Ａ）に示すように、グラフィックメータ１００の画面にメータ１８５、温度計１８７、燃料計１８８及び４つのアイコン２０１〜２０４からなるメータ画像１９０を表示させる（ステップＳ１１、Ｓ１２）。オープニング画面が完成した後のデフォルト画面では、４つのアイコン２０１〜２０４は、それぞれ同じ大きさで表示される。
【００３１】
ＣＰＵ１１０は、ステアリングスイッチ１４０の矢印ボタン１４２が押下されるまで待つ（ステップＳ１３）。ここでは、右向きの矢印ボタン１４２が押下される場合を示す。矢印ボタン１４２が押下されると、ＣＰＵ１１０は、選択された車両アイコン２０１を拡大し、選択されていないアイコン２０２〜２０４と区別可能に表示する（ステップＳ１４）。さらに、ＣＰＵ１１０は、図１０（Ｂ）に示すように、メータ１８５を画面の右側に移動させる（ステップＳ１５）。この時、メータ１８５は、僅かに左側を向くように表示される。また、温度計１８７は画面外となり、燃料計１８８はメータ１８５に追従するように移動する。この表示動作は以後においても同様である。
【００３２】
ＣＰＵ１１０は、メータ１８５が右側に移動したことで、画面の左側に拡がった空き領域に、車両アイコン２０１に対応する車両情報２３０を表示させる（ステップＳ１６）。そして、ＣＰＵ１１０は、ステアリングスイッチ１４０の解除ボタン１４５が押下されたか否かを判別する（ステップＳ１７）。
【００３３】
解除ボタン１４５が押下された場合、ＣＰＵ１１０は、画面の左側に表示された車両情報２３０を消去する（ステップＳ１８）。さらに、ＣＰＵ１１０は、図１０（Ｃ）に示すように、メータ１８５を画面の中央に戻し、通常状態にする（ステップＳ１９）。通常状態に戻した時、メータ１８５は正面を向くように表示される。図１０（Ｃ）では、解除された車両アイコン２０１の表示状態は、解除される直前の状態、つまり拡大した状態に維持される。これにより、通常状態に戻した後、次に選択されるアイコンが容易に分かる。
【００３４】
ＣＰＵ１１０は、ステアリングスイッチ１４０の矢印ボタン１４２が押下されるまで待つ（ステップＳ２０）。矢印ボタン１４２が押下されると、ＣＰＵ１１０は、車両アイコン２０１を縮小し（ステップＳ２１）、選択された地図アイコン２０２を拡大し、選択されていないアイコン２０１、２０３、２０４と区別可能に表示する（ステップＳ２２）。さらに、ＣＰＵ１１０は、図１１（Ｄ）に示すように、メータ１８５を画面の右側に移動させる（ステップＳ２３）。この時、メータ１８５は、僅かに左側を向くように表示される。この後、ＣＰＵ１１０はステップＳ２８の処理に進む。
【００３５】
一方、ステップＳ１７で解除ボタン１４５が押下されなかった場合、ＣＰＵ１１０は、矢印ボタン１４２が押下されたか否かを判別する（ステップＳ２４）。矢印ボタン１４２が押下されなかった場合、ＣＰＵ１１０はステップＳ１７の処理に戻る。
【００３６】
一方、ステップＳ２４で矢印ボタン１４２が押下された場合、ＣＰＵ１１０は、車両アイコン２０１を縮小し（ステップＳ２５）、選択された地図アイコン２０２を拡大し、選択されていないアイコン２０１、２０３、２０４と区別可能に表示する（ステップＳ２６）。ＣＰＵ１１０は、画面の左側に表示されていた、選択が解除された車両情報２３０を消去する（ステップＳ２７）。さらに、ＣＰＵ１１０は、図１１（Ｄ）に示すように、車両情報２３０が消去された画面左側の空き領域に、地図アイコン２０２に対応する地図情報２４０を表示させる（ステップＳ２８）。
【００３７】
そして、ＣＰＵ１１０は、ステアリングスイッチ１４０の解除ボタン１４５が押下されたか否かを判別する（ステップＳ２９）。
【００３８】
解除ボタン１４５が押下された場合、ＣＰＵ１１０は、画面の左側に表示された地図情報２４０を消去する（ステップＳ３０）。さらに、ＣＰＵ１１０は、図１１（Ｅ）に示すように、メータ１８５を画面の中央に戻し、通常状態にする（ステップＳ３１）。通常状態に戻した時、メータ１８５は正面を向くように表示される。図１１（Ｅ）では、解除された地図アイコン２０２の表示状態は、解除される直前の状態、つまり拡大した状態に維持される。これにより、通常状態に戻した後、次に選択されるアイコンが容易に分かる。
【００３９】
ＣＰＵ１１０は、ステアリングスイッチ１４０の矢印ボタン１４２が押下されるまで待つ（ステップＳ３２）。矢印ボタン１４２が押下されると、ＣＰＵ１１０は、地図アイコン２０２を縮小し（ステップＳ３３）、選択された音楽アイコン２０３を拡大し、選択されていないアイコン２０１、２０２、２０４と区別可能に表示する（ステップＳ３４）。さらに、ＣＰＵ１１０は、図１１（Ｆ）に示すように、メータ１８５を画面の右側に移動させる（ステップＳ３５）。この時、メータ１８５は、僅かに左側を向くように表示される。この後、ＣＰＵ１１０はステップＳ４０の処理に進む。
【００４０】
一方、ステップＳ２９で解除ボタン１４５が押下されなかった場合、ＣＰＵ１１０は、矢印ボタン１４２が押下されたか否かを判別する（ステップＳ３６）。矢印ボタン１４２が押下されなかった場合、ＣＰＵ１１０はステップＳ２９の処理に戻る。
【００４１】
一方、ステップＳ３６で矢印ボタン１４２が押下された場合、ＣＰＵ１１０は、地図アイコン２０２を縮小し（ステップＳ３７）、選択された音楽アイコン２０３を拡大し、選択されていないアイコン２０１、２０２、２０４と区別可能に表示する（ステップＳ３８）。ＣＰＵ１１０は、画面の左側に表示されていた、選択が解除された地図情報２４０を消去する（ステップＳ３９）。さらに、ＣＰＵ１１０は、図１１（Ｆ）に示すように、地図情報２４０が消去された画面左側の空き領域に、音楽アイコン２０３に対応する音楽情報２５０を表示させる（ステップＳ４０）。
【００４２】
そして、ＣＰＵ１１０は、ステアリングスイッチ１４０の解除ボタン１４５が押下されたか否かを判別する（ステップＳ４１）。
【００４３】
解除ボタン１４５が押下された場合、ＣＰＵ１１０は、画面の左側に表示された音楽情報２５０を消去する（ステップＳ４２）。さらに、ＣＰＵ１１０は、図１２（Ｇ）に示すように、メータ１８５を画面の中央に戻し、通常状態にする（ステップＳ４３）。通常状態に戻した時、メータ１８５は正面を向くように表示される。図１２（Ｇ）では、解除された音楽アイコン２０３の表示状態は、解除される直前の状態、つまり拡大した状態に維持されている。これにより、通常状態に戻した後、次に選択されるアイコンが容易に分かる。
【００４４】
ＣＰＵ１１０は、ステアリングスイッチ１４０の矢印ボタン１４２が押下されるまで待つ（ステップＳ４４）。矢印ボタン１４２が押下されると、ＣＰＵ１１０は、音楽アイコン２０３を縮小し（ステップＳ４５）、選択された電話アイコン２０４を拡大し、選択されていないアイコン２０１、２０２、２０４と区別可能に表示する（ステップＳ４６）。さらに、ＣＰＵ１１０は、図１２（Ｈ）に示すように、メータ１８５を画面の右側に移動させる（ステップＳ４７）。この時、メータ１８５は、僅かに左側を向くように表示される。この後、ＣＰＵ１１０はステップＳ５２の処理に進む。
【００４５】
一方、ステップＳ４１で解除ボタン１４５が押下されなかった場合、ＣＰＵ１１０は、矢印ボタン１４２が押下されたか否かを判別する（ステップＳ４８）。矢印ボタン１４２が押下されなかった場合、ＣＰＵ１１０はステップＳ４１の処理に戻る。
【００４６】
一方、ステップＳ４８で矢印ボタン１４２が押下された場合、ＣＰＵ１１０は、音楽アイコン２０３を縮小し（ステップＳ４９）、選択された電話アイコン２０４を拡大し、選択されていないアイコン２０１、２０２、２０３と区別可能に表示する（ステップＳ５０）。ＣＰＵ１１０は、画面の左側に表示されていた、選択が解除された音楽情報２５０を消去する（ステップＳ５１）。さらに、ＣＰＵ１１０は、図１２（Ｈ）に示すように、音楽情報２５０が消去された画面左側の空き領域に、電話アイコン２０４に対応する電話（通話先）情報２６０を表示させる（ステップＳ５２）。
【００４７】
そして、ＣＰＵ１１０は、ステアリングスイッチ１４０の解除ボタン１４５が押下されたか否かを判別する（ステップＳ５３）。
【００４８】
解除ボタン１４５が押下された場合、ＣＰＵ１１０は、画面の左側に表示された電話情報２６０を消去する（ステップＳ５４）。さらに、ＣＰＵ１１０は、図１２（Ｉ）に示すように、メータ１８５を画面の中央に戻し、通常状態にする（ステップＳ５５）。通常状態に戻した時、メータ１８５は正面を向くように表示される。図１２（Ｉ）では、解除された電話アイコン２０４の表示状態は、解除される直前の状態、つまり拡大した状態に維持される。これにより、通常状態に戻した後、次に選択されるアイコンが容易に分かる。
【００４９】
ＣＰＵ１１０は、ステアリングスイッチ１４０の矢印ボタン１４２が押下されるまで待つ（ステップＳ５６）。矢印ボタン１４２が押下されると、ＣＰＵ１１０は、電話アイコン２０４を縮小し（ステップＳ５７）、選択された車両アイコン２０１を拡大し、選択されていないアイコン２０１、２０２、２０３と区別可能に表示する（ステップＳ５８）。さらに、ＣＰＵ１１０は、図１０（Ｂ）に示すように、メータ１８５を画面の右側に移動させる（ステップＳ５９）。この時、メータ１８５は、僅かに左側を向くように表示される。この後、ＣＰＵ１１０はステップＳ１６の処理に進む。
【００５０】
一方、ステップＳ５３で解除ボタン１４５が押下されなかった場合、ＣＰＵ１１０は、矢印ボタン１４２が押下されたか否かを判別する（ステップＳ６０）。矢印ボタン１４２が押下されなかった場合、ＣＰＵ１１０はステップＳ５３の処理に戻る。
【００５１】
一方、ステップＳ６０で矢印ボタン１４２が押下された場合、ＣＰＵ１１０は、電話アイコン２０４を縮小する（ステップＳ６１）。ＣＰＵ１１０は、画面の左側に表示されていた、選択が解除された電話情報２６０を消去する（ステップＳ６２）。この後、ＣＰＵ１１０はステップＳ１６の処理に戻る。
【００５２】
本実施形態のグラフィックメータによれば、メータ内に、メータ以外の画像に対応するアイコンを配置するので、メータ以外の画像を表示する操作が分かり易くなる。また、アイコンが選択されていない時、メータが正面を向くように中央に位置するので、アイコン選択以外の時、メータを主体として表示することができる。
【００５３】
また、例えば、車両アイコン（第１のアイコン）が選択された後に地図アイコン（第２のアイコン）が選択された場合、画面に表示される車両情報（第１の画像）から地図情報（第２の画像）への切り替えを速やかに行うことができる。
【００５４】
また、イグニッションスイッチがオンになって、グラフィックメータにオープニング画面が表示される際、３次元アニメーションによってメータが表示されるので、斬新なオープニング表示が可能となる。
【００５５】
さらに、オープニング画面では、球体から立体的なリングを経てメータに変形するので、より一層、斬新なオープニング表示が可能となる。
【００５６】
なお、本発明は、上記実施形態の構成に限られるものではなく、本実施形態の構成が持つ機能を達成できる構成であればどのようなものであっても適用可能である。
【００５７】
例えば、上記実施形態では、右方向にサイクリックにアイコンが選択される矢印ボタンが使用される場合を示したが、左方向にアイコンが選択される矢印ボタンを使用して左右いずれの方向にアイコンが選択されるようにしてもよい。
【００５８】
また、上記実施形態では、メータ、温度計、燃料計を画面の右側に移動させる場合を示したが、左側に移動させてもよい。この場合、燃料計が画面外となるようにしてもよい。
また、上記実施形態では、選択されたアイコンのサイズを大きく表示したが、サイズを変える代わりに、枠状のカーソルを表示させ、選択されたアイコンをこのカーソルで囲むことで、他の選択されていないアイコンと識別するようにしてもよい。
また、アイコンを選択する際、ステアリングスイッチの矢印ボタンで指示されるアイコンを移動させ、ステアリングスイッチの決定ボタンによって指示されたアイコンを選択するようにしてもよい。
【００５９】
本発明は、車両用表示装置において、計器画像以外の画像を表示する操作が分かり易くなり、有用である。
【００６０】
ここで、上述した本発明に係る車両用表示装置の実施形態の特徴をそれぞれ以下［１］〜［５］に簡潔に纏めて列記する。
［１］  各種情報が画面に表示される表示部（液晶表示器１５０）を備え、
前記表示部には、計器を模した計器画像（メータ１８５）、及び選択可能な複数のアイコン（２０１〜２０４）が表示され、
前記複数のアイコンのいずれかが選択された場合、前記表示部では、前記計器画像が前記画面上に表示される位置が変わり、前記計器画像の位置が変わることによって生じた空き領域に、選択されたアイコンに対応する画像が表示され、前記計器画像、選択されたアイコンに対応する画像、及び前記複数のアイコンが継続して表示される、
ことを特徴とする車両用表示装置。
［２］  前記表示部では、前記複数のアイコンのうち、選択されたアイコンと選択されていないアイコンとが識別可能に表示される、
ことを特徴とする［１］に記載の車両用表示装置。
［３］  前記アイコンの選択が解除された場合、選択が解除されたアイコンに対応する画像が前記画面から消去され、前記計器画像が前記画面上に表示される位置が選択される前の位置に戻る、
ことを特徴とする［１］または［２］に記載の車両用表示装置。
［４］  前記複数のアイコンは、第１のアイコン及び第２のアイコンを含み、
前記表示部では、前記第１のアイコンが選択された後に、前記第２のアイコンが選択された場合、前記第１のアイコンに対応する第１の画像が前記画面から消去され、前記第２のアイコンに対応する第２の画像が前記第１の画像が表示されていた位置に表示される、
ことを特徴とする［１］から［３］のいずれかに記載の車両用表示装置。
［５］  前記アイコンの選択が解除され、前記計器画像の位置が前記アイコンが選択される前の位置に戻った場合、前記選択が解除されたアイコンの表示状態は、解除される直前の状態に維持される、
ことを特徴とする［３］に記載の車両用表示装置。
【符号の説明】
【００６１】
５０  インストルメントパネル
１００  グラフィックメータ
１１０  ＣＰＵ
１１２、１３２  ＲＯＭ
１１３、１３３  ＲＡＭ
１１７  ＥＥＰＲＯＭ
１２１  電源回路
１２２  入力Ｉ／Ｆ
１２４  通信Ｉ／Ｆ
１２６  ＯＤＯ／ＴＲＩＰ切替スイッチ
１３０  グラフィックＣＰＵ
１４０  ステアリングスイッチ
１４２  矢印ボタン
１４５  解除ボタン
１５０  液晶表示器
１６０  ハンドル
１８１  球体
１８２  リング
１８５  メータ
１８７  温度計
１８８  燃料計
１９０  メータ画像
２０１〜２０４  アイコン
２３０  車両情報
２４０  地図情報
２５０  音楽情報
２６０  電話情報
【図１】
2015066982.tif 000003
【図２】
2015066982.tif 000004
【図３】
2015066982.tif 000005
【図４】
2015066982.tif 000006
【図５】
2015066982.tif 000007
【図６】
2015066982.tif 000008
【図７】
2015066982.tif 000009
【図８】
2015066982.tif 000010
【図９】
2015066982.tif 000011
【図１０】
2015066982.tif 000012
【図１１】
2015066982.tif 000013
【図１２】
2015066982.tif 000014